(57)【要約】【課題】施工時に貯湯タンクユニットに電気配線を接続する電気工事の作業性を向上するとともに、貯湯タンクユニット内の部品配置の自由度を向上することができる貯湯式給湯機を提供すること。【解決手段】本発明の貯湯式給湯機５０は、貯湯タンク１０を内蔵する貯湯タンクユニット４０を備え、貯湯タンクユニット４０の筐体（外装ケース３０）の前面側の下部に形成されたけこみ部３１に、貯湯タンクユニット４０の外部と湯水をやり取りする配管が接続される複数の配管接続口３３が設けられており、貯湯タンクユニット４０の外部からの電気配線を貯湯タンクユニット４０に接続するための端子を有する配線接続部２０がけこみ部３１に面して設けられている。【選択図】図１
2012202667.tif 000002
【特許請求の範囲】
【請求項１】
貯湯タンクを内蔵する貯湯タンクユニットを備えた貯湯式給湯機であって、
前記貯湯タンクユニットの筐体の前面側の下部に形成されたけこみ部に、前記貯湯タンクユニットの外部と湯水をやり取りする配管が接続される複数の配管接続口が設けられており、
前記貯湯タンクユニットの外部からの電気配線を前記貯湯タンクユニットに接続するための端子を有する配線接続部が前記けこみ部に面して設けられている貯湯式給湯機。
【請求項２】
前記けこみ部を前面から見たとき、隣り合う二つの前記配管接続口の間に前記配線接続部が位置する請求項１記載の貯湯式給湯機。
【請求項３】
前記配線接続部の前記端子の設置箇所の上方を覆うひさし部を有する請求項１または２記載の貯湯式給湯機。
【請求項４】
前記配線接続部は、前記端子に前記電気配線を接続した後に装着されるカバー部材を有し、
前記カバー部材は、前記電気配線を通す開口部を形成するために切り取り可能な切り取り部を有し、前記切り取り部の切り取り範囲を選択することにより前記電気配線の外径に応じて前記開口部の大きさを選択可能に構成されている請求項１乃至３の何れか１項記載の貯湯式給湯機。
【請求項５】
前記貯湯タンク内から排水する排水弁を操作するための排水ハンドルが前記けこみ部に設けられており、
前記けこみ部を前面から見たとき、前記配線接続部の真下または真上に前記排水ハンドルが位置する請求項１乃至４の何れか１項記載の貯湯式給湯機。
【請求項６】
前記けこみ部に、前面から見て後方へ傾斜した傾斜面が形成されており、該傾斜面上に前記配線接続部の前記端子が設置されている請求項１乃至５の何れか１項記載の貯湯式給湯機。
【発明の詳細な説明】
【技術分野】
【０００１】
本発明は、貯湯式給湯機に関する。
【背景技術】
【０００２】
空気の熱を吸収して湯を沸き上げるヒートポンプユニットと、このヒートポンプユニットにより沸き上げられた湯を貯える貯湯タンクを内蔵した貯湯タンクユニットとを備えた貯湯式給湯機が広く用いられている。このような貯湯式給湯機では、貯湯タンクユニットとヒートポンプユニットとを接続する電源通信線や、電源を貯湯タンクユニットに接続する電源線、浴室や台所などに設置されるリモコンを貯湯タンクユニットに接続するリモコン線、アース線等の電気配線が貯湯タンクユニットに接続される。貯湯式給湯機の据付工事の際には、湯水をやり取りする配管を貯湯タンクユニットに接続する配管工事とともに、上記のような各種の電気配線を貯湯タンクユニットに接続する電気工事を行う必要がある。
【０００３】
下記特許文献１には、ヒートポンプサイクルにより生成した温水により室内を暖房する温水暖房装置の熱交換ユニットにおいて、電装部と水回路とを電源板により区画し、電装部の前方に取付金具を介して取り付けられた操作部が工事の際に開閉可能な構成が開示されている。
【先行技術文献】
【特許文献】
【０００４】
【特許文献１】特開２０１０−１２１８４１号公報
【発明の概要】
【発明が解決しようとする課題】
【０００５】
従来の貯湯式給湯機では、上述したような外部からの電気配線類を貯湯タンクユニットに接続する工事の際、貯湯タンクユニットの外装ケース（筐体）の前面パネルを取り外し、内部に設けられた配線接続部に電気配線類を接続する必要がある。このため、作業に大変な手間がかかる。
【０００６】
また、前面パネルを取り外す必要をなくすために、前面パネルに開口部（小窓）を設け、この開口部から電気配線類を接続できるように構成されたものもある。しかしながら、この開口部の内部に電気配線を接続するための接続部を設けるスペースを確保する必要があるため、貯湯タンクユニット内の部品の配置が制限されるという問題がある。また、輸送時や配線接続前にこの開口部より虫やゴミなどが貯湯タンクユニット内に侵入し易いという問題もある。また、電気配線の接続後、電気配線と開口部との隙間をパテ等により埋める作業が必要であり、煩雑である。
【０００７】
本発明は、上述のような課題を解決するためになされたもので、施工時に貯湯タンクユニットに電気配線を接続する電気工事の作業性を向上するとともに、貯湯タンクユニット内の部品配置の自由度を向上することができる貯湯式給湯機を提供することを目的とする。
【課題を解決するための手段】
【０００８】
本発明に係る貯湯式給湯機は、貯湯タンクを内蔵する貯湯タンクユニットを備えた貯湯式給湯機であって、貯湯タンクユニットの筐体の前面側の下部に形成されたけこみ部に、貯湯タンクユニットの外部と湯水をやり取りする配管が接続される複数の配管接続口が設けられており、貯湯タンクユニットの外部からの電気配線を貯湯タンクユニットに接続するための端子を有する配線接続部がけこみ部に面して設けられているものである。
【発明の効果】
【０００９】
本発明によれば、施工時に貯湯タンクユニットに電気配線を接続する電気工事の作業性を向上することができる。更に、貯湯タンクユニット内の部品配置の自由度を向上することや、製造コストを低減することが可能となる。
【図面の簡単な説明】
【００１０】
【図１】本発明の実施の形態１の貯湯式給湯機を示す前面図である。
【図２】本発明の実施の形態１における貯湯タンクユニットのけこみ部に配管カバーを装着した状態を示す前面図である。
【図３】本発明の実施の形態１における貯湯タンクユニットのけこみ部を示す前面図である。
【図４】図３中のＡ−Ａ線での断面図である。
【図５】本発明の実施の形態１における配線接続部のカバー部材の斜視図である。
【図６】本発明の実施の形態２における貯湯タンクユニットのけこみ部を示す前面図である。
【発明を実施するための形態】
【００１１】
以下、図面を参照して本発明の実施の形態について説明する。なお、各図において共通する要素には、同一の符号を付して、重複する説明を省略する。
【００１２】
実施の形態１．
図１は、本発明の実施の形態１の貯湯式給湯機を示す前面図である。図１に示すように、本実施形態の貯湯式給湯機５０は、湯を生成する加熱手段としてのヒートポンプユニット１と、湯を貯える貯湯タンク１０を内蔵した貯湯タンクユニット４０とを備えている。貯湯タンクユニット４０は、略直方体形状の外装ケース３０（筐体）を有している。外装ケース３０内には、略円筒形の貯湯タンク１０のほか、図示しないポンプ、バルブ、熱交換器、配管類、制御装置などの各種の機器が収容されている。ヒートポンプユニット１で沸き上げられた湯は、貯湯タンクユニット４０に送られて貯湯タンク１０内に一旦貯留され、必要に応じて所定の給湯先に供給される。
【００１３】
貯湯タンクユニット４０の外装ケース３０の下には、複数の支持脚３５が設けられている。各支持脚３５をコンクリート製の土台Ｃにアンカーボルト（図示せず）で固定することにより、貯湯タンクユニット４０が土台Ｃに据え付けられている。
【００１４】
貯湯タンクユニット４０の外装ケース３０の前面の下部には、後面側に凹んだ部分であるけこみ部３１が形成されている。外装ケース３０は、前面の下部が切り欠かれた形状をなしており、その切り欠かれて凹んだ部分がけこみ部３１を構成している。外装ケース３０の前面パネル３０ａは、けこみ部３１より上側の範囲を覆っている。すなわち、けこみ部３１は、前面パネル３０ａの下側に位置し、前面パネル３０ａの位置より奥へ引っ込んだ空間を形成している。
【００１５】
けこみ部３１には、貯湯タンクユニット４０が外部と湯水をやり取りする配管が接続される配管接続口３３が設けられている。本実施形態では、５個の配管接続口３３がけこみ部３１に設けられている。これらの配管接続口３３には、給水配管１１、ヒートポンプ往き配管１３ａ、ヒートポンプ戻り配管１３ｂ、給湯配管１２、ふろ往き配管１４がそれぞれ接続される。給水配管１１は、水源からの水を貯湯タンク１０内に供給するための配管である。ヒートポンプ往き配管１３ａは、貯湯タンク１０内の加熱前の水（低温水）をヒートポンプユニット１に送るための配管である。給水配管１１およびヒートポンプ往き配管１３ａが接続される配管接続口３３は、外装ケース３０内において、貯湯タンク１０の下部に繋がるように接続されている。ヒートポンプ戻り配管１３ｂは、ヒートポンプユニット１により沸き上げられた湯（高温水）を貯湯タンク１０内へ戻すための配管である。給湯配管１２は、浴室、台所等の所定の給湯先（図示せず）に給湯するための配管である。ふろ往き配管１４は、浴槽（図示せず）に給湯するための配管である。ヒートポンプ戻り配管１３ｂ、給湯配管１２およびふろ往き配管１４が接続される配管接続口３３は、外装ケース３０内において、貯湯タンク１０の上部に繋がるように接続されている。
【００１６】
貯湯式給湯機５０の施工時には、上述した各種の配管を貯湯タンクユニット４０に接続する配管工事と共に、貯湯タンクユニット４０の外部からの電気配線を貯湯タンクユニット４０に接続する電気工事が必要となる。本実施形態では、貯湯タンクユニット４０に電気配線を接続するため配線接続部２０が、けこみ部３１に設けられている。電気配線としては、ヒートポンプユニット１と貯湯タンクユニット４０とを接続する電源通信線１８と、貯湯タンクユニット４０に電源を供給する電源線１９のほか、図示を省略するが、浴室や台所等に設置されるリモコンを貯湯タンクユニット４０に接続するリモコン線やアース線等が配線接続部２０に接続される。これらの電気配線は、例えばＰＦ管等の可撓性のある保護管に覆われた状態で配線接続部２０に導かれる。本実施形態の配線接続部２０は、各電気配線を接続した後に装着されるカバー部材２１を有している。図１は、カバー部材２１が装着された状態を示している。
【００１７】
外装ケース３０の前面の下部には、けこみ部３１を覆う着脱可能な配管カバー３２を装着することができる。図２は、この配管カバー３２が装着された状態を示している。配管接続口３３および配線接続部２０に上述した配管類および電気配線類を接続した後、配管カバー３２を装着することにより、けこみ部３１を覆い隠して、貯湯タンクユニット４０の意匠性を向上させることができる。
【００１８】
図３は、貯湯タンクユニット４０のけこみ部３１を示す前面図である。図３は、配線接続部２０のカバー部材２１を装着する前の状態を示している。また、図３は、給湯配管１２およびふろ往き配管１４が、対応する配管接続口３３に未接続の状態を示している。図３に示すように、配線接続部２０は、端子台２２を有しており、この端子台２２上に、電源通信線１８および電源線１９が接続される端子２３が設置されている。
【００１９】
図４は、図３中のＡ−Ａ線での断面図である。図４に示すように、配管接続口３３は、けこみ部３１の上端の壁３１ａから下方に突出するように設けられている。図４では、配管接続口３３に配管類が未接続の状態を示している。けこみ部３１の垂直の壁３１ｂには、奥に凹んだ凹部３１ｃが形成されており、この凹部３１ｃ内に端子台２２が形成されている。この端子台２２は、前面から見て後方へ傾斜した傾斜面となっている。端子台２２上に設置された端子２３には、貯湯タンクユニット４０の内部の機器から伸びた内部配線２６が接続されている。端子台２２の上方には、ひさし部２５が設けられている。内部配線２６は、弛みを持って配設されており、端子台２２とひさし部２５の下端との隙間２８を上から下に向かって通過して貯湯タンクユニット４０の内部に引き込まれている。
【００２０】
以上説明したように、本実施形態では、配線接続部２０の端子台２２がけこみ部３１の空間に臨むように配置したことにより、電気工事の際に外装ケース３０の前面パネル３０ａを取り外す必要がないので、作業の手間を軽減することができる。また、前面パネル３０ａに、電気配線接続用の開口部（小窓）を設ける必要もないので、製造コストを低減することができる。また、輸送時や施工時に虫やゴミなどが貯湯タンクユニット４０内に侵入することを確実に防止することができる。また、外装ケース３０の前面パネル３０ａの内側に電気配線接続用のスペースも設ける必要がないので、貯湯タンクユニット４０内の部品の配置の自由度を向上することができる。また、施工時、配管工事と電気工事の両方を、同じ高さのけこみ部３１において作業することができるため、作業性を向上させることができる。また、天候が雨の際に施工作業を行う場合であっても、図４に示すように、けこみ部３１の上端の壁３１ａが突き出しているため、配線接続部２０が雨に濡れることがなく、施工が容易である。
【００２１】
また、本実施形態では、図３に示すように、前面から見て、隣り合う二つの配管接続口３３（ヒートポンプ往き配管１３ａが接続される配管接続口３３と給水配管１１が接続される配管接続口３３）の間に、配線接続部２０の端子台２２が位置している。このように配線接続部２０を配置したことより、配管工事を行った後でも、電気配線を配線接続部２０に接続する際に配管類が邪魔になることなく、作業を容易に行うことができる。
【００２２】
また、本実施形態では、図４に示すように、前面から見て後方へ傾斜する傾斜面となるように端子台２２を設けたことにより、電気工事の作業者にとって、端子２３が見易い角度となる。このため、電気配線の接続作業を容易且つ迅速に行うことができる。
【００２３】
また、本実施形態では、端子台２２の上方を覆うひさし部２５を設けたことにより、貯湯タンクユニット４０の内部で湯水が万一漏れ出た場合であっても、配線接続部２０に湯水がかかることを確実に防止することができる。
【００２４】
図５は、配線接続部２０のカバー部材２１の斜視図である。このカバー部材２１は、電源通信線１８、電源線１９を端子２３に接続した後、端子台２２が設けられた凹部３１ｃを覆うように、けこみ部３１の垂直の壁３１ｂにネジ等により取り付けられる。このようなカバー部材２１を装着することにより、雨の跳ね返りによる水やゴミなどが端子台２２の端子２３に付着することを確実に防止することができる。本実施形態のカバー部材２１には、接続された電源通信線１８、電源線１９を通す開口部を形成するために切り取り可能な切り取り部２１ａが設けられている。この切り取り部２１ａの切り取り範囲を選択することにより、電源通信線１８、電源線１９の外径に応じて、開口部の大きさを選択することができる。すなわち、切り取り部２１ａには、二つの切断線２１ｂ，２１ｃが形成されており、内側の切断線２１ｂで切り取り部２１ａを切り取った場合には小さい開口部が形成され、外側の切断線２１ｃで切り取り部２１ａを切り取った場合には大きい開口部が形成される。このようにして、電源通信線１８、電源線１９の外径に応じてカバー部材２１の開口部の大きさを調節することができるので、カバー部材２１と電源通信線１８、電源線１９との隙間をなるべく小さくすることができ、雨水やゴミ等の浸入をより確実に防止することができる。
【００２５】
実施の形態２．
次に、図６を参照して、本発明の実施の形態２について説明するが、上述した実施の形態１との相違点を中心に説明し、同一部分または相当部分は同一符号を付し説明を省略する。図６は、本発明の実施の形態２の貯湯式給湯機が備える貯湯タンクユニット４０のけこみ部３１を示す前面図である。図６に示すように、本実施形態の貯湯タンクユニット４０のけこみ部３１には、貯湯タンク１０内から排水する排水弁（図示せず）を操作するための排水ハンドル２７が設けられている。この排水ハンドル２７は、前面から見て配線接続部２０の真下に位置している。このような位置に排水ハンドル２７を配置したことにより、排水ハンドル２７を操作する際、各配管接続口３３に接続された各配線や接続部２０に接続された電源通信線１８、電源線１９が邪魔になることがなく、排水ハンドル２７を容易に操作することができる。なお、前面から見て配線接続部２０の真上に排水ハンドル２７が位置するように配置してもよい。
【００２６】
以上説明した実施の形態では、けこみ部３１の垂直の壁３１ｂに形成した凹部３１ｃ内に配線接続部２０の端子台２２を設けた場合を例に説明したが、本発明における配線接続部２０の設置箇所は、これに限定されるものではなく、けこみ部３１に面する箇所であれば如何なる箇所でもよい。
【符号の説明】
【００２７】
１      ヒートポンプユニット
１０    貯湯タンク
１１    給水配管
１２    給湯配管
１３ａ  ヒートポンプ往き配管
１３ｂ  ヒートポンプ戻り配管
１４    ふろ往き配管
１８    電源通信線
１９    電源線
２０    配線接続部
２１    カバー部材
２１ａ  切り取り部
２１ｂ，２１ｃ  切断線
２２    端子台
２３    端子
２５    ひさし部
２６    内部配線
２７    排水ハンドル
２８    隙間
３０    外装ケース
３０ａ  前面パネル
３１    けこみ部
３１ａ  上端の壁
３１ｂ  垂直の壁
３１ｃ  凹部
３２    配管カバー
３３    配管接続口
３５    支持脚
４０    貯湯タンクユニット
５０    貯湯式給湯機
【図１】
2012202667.tif 000003
【図２】
2012202667.tif 000004
【図３】
2012202667.tif 000005
【図４】
2012202667.tif 000006
【図５】
2012202667.tif 000007
【図６】
2012202667.tif 000008